(57)【要約】【課題】水漏れ隙間がなく緊密に張合う状態になり、長期に耐用でき、また、係合リングに嵌め込まれる耐熱ゲルパッキングは、熱遮断効果を有するため、ユーザーが保温袋を気楽に持つことができる複合式保温袋の構造を提供する。【解決手段】嵌合蓋は、抗漏れ防水リングが設けられ、その内外両側に両面粘着フィルムが粘着され、抗漏れ防水リングと嵌合蓋とが結合されると、その内面にある両面粘着フィルムにより緊密に貼り付けられ、抗漏れ防水リングと嵌合蓋とが堅く固定され、当該外側にある両面粘着フィルムにより耐高温防水布に結合され、耐高温防水布を折り畳むことにより形成された隙間と係合リングの受熱膨張冷収縮による隙間に当該抗漏れ防水リングが埋め込まれる。【選択図】図２
0003124939.tif 000002
【実用新案登録請求の範囲】
【請求項１】
螺条と回転用突出が形成される上封止蓋と、当該上封止蓋に嵌めこまれ、抗漏れ効果を有するシリカゲルパッキングと、設置された雌ねじにより当該上封止蓋に螺合され、シリカゲルパッキングを固定し、中央に開口が形成される嵌合蓋と、氷や熱い水を収納して保温効果を有し、袋形状を形成する耐高温防水布と、当該耐高温防水布が緊密に当該嵌合蓋に固定される係合リングと、が含有される保温袋であって、
当該抗漏れ防水リングの内外両側に両面粘着フィルムが粘着され、当該抗漏れ防水リングと当該嵌合蓋とが結合される時、内面にある両面粘着フィルムにより緊密に貼り付けられ、当該抗漏れ防水リングと当該嵌合蓋とが堅く固定され、当該外側にある両面粘着フィルムにより当該耐高温防水布に結合され、当該耐高温防水布を折り畳むことにより形成された隙間と当該係合リングの受熱膨張冷収縮による隙間に当該抗漏れ防水リングが埋め込まれるため、水漏れ隙間がなく緊密に張合う状態になり、
当該係合リングに、熱遮断効果を有する耐熱ゲルパッキングが嵌め込まれるため、ユーザーが保温袋を気楽に持つことができる、
ことを特徴とする複合式保温袋の構造。
【考案の詳細な説明】
【技術分野】
【０００１】
本考案は、携帯便利で冷熱両用である複合式保温袋の構造に関する。
【背景技術】
【０００２】
従来の保温袋１００は、図１を参照しながら、弾性金属板と酢酸ナトリウムが収納され、使用する時、弾性金属片を持続的に湾曲することにより、酢酸ナトリウムによる熱エネルギーが生成され、そして、体の任意の部位に当たって採暖し、その温度が約４０-４５℃であるが、このような設計は、温度がやや低く耐久性が悪いだけでなく、耐用回数が少なくエネルギーがないと捨てるしかできないため、コストが高い問題や環境保護の問題があり、また、保温袋の袋は、一つの布を収束してそして折り畳んでから係止リングにより回転蓋に係止されるように、形成され、そのため、折り畳む部位に隙間が発生し、また、係合リングの熱膨張冷収縮による隙間が発生し、使用する時、熱い水や冷水がそこから漏れる恐れがあり、また、従来の保温袋は、係止リングが金属環であるため、熱が其処に集中し、ユーザーがそれを持つことが出来ず、そのため、改善しなければならない欠点がある。
【考案の開示】
【考案が解決しようとする課題】
【０００３】
本考案の主な目的は、主として、嵌合蓋に、抗漏れ防水リングが設けられ、当該嵌合蓋の内外両側に両面粘着フィルムが粘着され、抗漏れ防水リングと嵌合蓋とが結合される時、内面にある両面粘着フィルムにより緊密に貼り付けられ、抗漏れ防水リングと嵌合蓋とが堅く固定され、当該外側にある両面粘着フィルムにより耐高温防水布に結合され、耐高温防水布を折り畳むことにより形成された隙間と係合リングの受熱膨張冷収縮による隙間に当該抗漏れ防水リングが埋め込まれるため、水漏れ隙間がなく緊密に張合う状態になり、長期に耐用できる複合式保温袋の構造を提供する。
【０００４】
本考案の他の目的は、係合リングに嵌め込まれる耐熱ゲルパッキングが、熱遮断効果を有するため、ユーザーが保温袋を気楽に持つことができる複合式保温袋の構造を提供する。
【課題を解決するための手段】
【０００５】
請求項１の考案は、螺条と回転用突出が形成される上封止蓋と、当該上封止蓋に嵌めこまれ、抗漏れ効果を有するシリカゲルパッキングと、設置された雌ねじにより当該上封止蓋に螺合され、シリカゲルパッキングを固定し、中央に開口が形成される嵌合蓋と、氷や熱い水を収納して保温効果を有し、袋形状を形成する耐高温防水布と、当該耐高温防水布が緊密に当該嵌合蓋に固定される係合リングと、が含有される保温袋であって、当該抗漏れ防水リングの内外両側に両面粘着フィルムが粘着され、当該抗漏れ防水リングと当該嵌合蓋とが結合される時、内面にある両面粘着フィルムにより緊密に貼り付けられ、当該抗漏れ防水リングと当該嵌合蓋とが堅く固定され、当該外側にある両面粘着フィルムにより当該耐高温防水布に結合され、当該耐高温防水布を折り畳むことにより形成された隙間と当該係合リングの受熱膨張冷収縮による隙間に当該抗漏れ防水リングが埋め込まれるため、水漏れ隙間がなく緊密に張合う状態になり、当該係合リングに、熱遮断効果を有する耐熱ゲルパッキングが嵌め込まれるため、ユーザーが保温袋を気楽に持つことができる、ことを特徴とする複合式保温袋の構造である。
【考案を実施するための最良の形態】
【０００６】
本考案は、図２乃至４を参照しながら、複合式保温袋の構造であり、螺条と回転用突出が形成される上封止蓋１と、当該上封止蓋１に嵌め込まれ、抗漏れ効果を有するシリカゲルパッキング２と、設置された雌ねじにより当該上封止蓋１に螺合され、シリカゲルパッキング１を固定し、中央に開口が形成される嵌合蓋３と、その内外両側に両面粘着フィルム５、６が粘着され、当該嵌合蓋３に結合されると、氷や熱い水を収納して保温効果を有し、袋形状を形成する耐高温防水布７と、当該耐高温防水布７の表面に嵌め込まれ、当該耐高温防水布７が緊密に嵌合蓋３に固定される係合リング８と、当該係合リング８に嵌め込まれ、熱遮断効果を有し、ユーザーが気楽に保温袋１０を持つことができる(図６を参照しながら)耐熱ゲルパッキング９と、その内面にある両面粘着フィルム５により緊密に貼り付けられ(図４を参照しながら)、抗漏れ防水リング４と嵌合蓋３とが堅く固定され、また、外側にある両面粘着フィルム６により耐高温防水布７に結合され、また、耐高温防水布７を折り畳むことにより形成された隙間と係合リング８の熱膨張冷収縮による隙間に、当該抗漏れ防水リング４が埋め込まれるため(図４を参照しながら)、水漏れ隙間がなく緊密に張合う状態になる抗漏れ防水リング４と、が含有される。
【０００７】
前記の保温袋１０(図３と５を参照しながら)により、携帯に便利である小型で(図１１を参照しながら)、使用する時、耐高温防水布７からなる袋に氷１１(図７)や熱い水を入れ込んで、体全体について、温湿布や冷湿布ができ(図８乃至１０を参照しながら)、また、長期に使用する場合、お金を節約できるだけでなく、環境保護の効果が得られる。
【図面の簡単な説明】
【０００８】
【図１】従来の保温袋図
【図２】本考案の分解図
【図３】本考案の組み立て図
【図４】本考案に係わる耐高温防水布が結合される時の断面図
【図５】本考案に係わる実施例
【図６】本考案を持つ時の実施例
【図７】本考案に氷を収納する時の実施例
【図８】本考案を手持ち状態の実施例
【図９】本考案を体に使用する時の実施例
【図１０】本考案を顔に使用する時の実施例
【図１１】本考案を手提げ袋に収納する時の実施例
【符号の説明】
【０００９】
１            上封止蓋
２            シリカゲルパッキング
３            嵌合蓋
４            抗漏れ防水リング
５、６        両面粘着フィルム
７            耐高温防水布
８            係合リング
９            耐熱ゲルパッキング
１０          保温袋
１１          氷
１００        保温袋
【図１】
0003124939.tif 000003
【図２】
0003124939.tif 000004
【図３】
0003124939.tif 000005
【図４】
0003124939.tif 000006
【図５】
0003124939.tif 000007
【図６】
0003124939.tif 000008
【図７】
0003124939.tif 000009
【図８】
0003124939.tif 000010
【図９】
0003124939.tif 000011
【図１０】
0003124939.tif 000012
【図１１】
0003124939.tif 000013